(57)【要約】      （修正有）【課題】オイルフィルタを下方からオイルフィルタカバーによって覆うことにより、圃場面から飛散してくる泥土や泥水のオイルフィルタへの付着を防止すると共に、最低地上高さを低下させることなくオイルフィルタを覆って雑草や藁屑等の引っ掛かりや引きずりを抑制した作業を行うことができる作業車両を提供する。【解決手段】トランスミッションケース７の側方にオイルの汚れを濾過するオイルフィルタ９を備えた作業車両において、前記オイルフィルタ９の下方にオイルフィルタカバー１０を着脱自在に固設して、オイルフィルタ９の損傷を防止するように構成した。【選択図】図４
2011105134.tif 000002
【特許請求の範囲】
【請求項１】
トランスミッションケース（７）の側方にオイルの汚れを濾過するオイルフィルタ（９）を備えた作業車両（１）において、前記オイルフィルタ（９）の下方にオイルフィルタカバー（１０）を着脱自在に固設して、オイルフィルタ（９）の損傷を防止するようにしたことを特徴とする作業車両。
【請求項２】
前記オイルフィルタカバー（１０）を、トランスミッションケース（７）から延設した取付杆（２５）に着脱自在に支持されてオイルフィルタ（９）の下方を覆う平板状の前カバー（２７）と、リヤアクスルケース（１１）に固定されて前カバー（２７）の後端を着脱自在に支持する後カバー（２０）とで構成することを特徴とする請求項１記載の作業車両。
【発明の詳細な説明】
【技術分野】
【０００１】
本発明は、トランスミッションケースの側方にオイルフィルタを備える作業車両に関する。
【背景技術】
【０００２】
従来、トランスミッションケースの側方に油圧装置の作動油となるオイルの汚れを濾過するオイルフィルタを備えたトラクタは既に知られている（例えば特許文献１。）。
【先行技術文献】
【特許文献】
【０００３】
【特許文献１】実公平５−１６０３８号公報
【発明の概要】
【発明が解決しようとする課題】
【０００４】
上記特許文献１で示されるトラクタは、運転ステップ下方でトランスミッションケースの側方に固設されたフィルタブラケットにオイルの汚れを濾過する濾過部材を収容したフィルタ部を取付けたオイルフィルタを、前後方向に露出させた状態で設置している。そのため耕耘作業や代掻き作業を行なう際に、圃場面から飛散する泥土や泥水がオイルフィルタに直接付着して堆積固化する。またフィルタ部内で目詰まりを生じた濾過部材の交換や洗車等を行うとき、堆積固化した泥土の除去が煩雑になるためメンテナンス作業が非能率になる等の欠点がある。
また背丈の高い植物が茂った山野を開墾したり、圃場の高い畦や畝を越える場合に、雑草や枝木或いは切り株や石等がオイルフィルタに直接的に接当するため、特に濾過部材を収容しているフィルタ部の筒状容器を大きく変形させたり、孔開き破損を伴ってオイル漏れを生じさせる等の問題がある。
【課題を解決するための手段】
【０００５】
本発明は係る課題を解決するために、第１に、トランスミッションケース７の側方にオイルの汚れを濾過するオイルフィルタ９を備えた作業車両１において、前記オイルフィルタ９の下方にオイルフィルタカバー１０を着脱自在に固設して、オイルフィルタ９の損傷を防止するようにしたことを特徴としている。
第２に、前記オイルフィルタカバー１０を、トランスミッションケース７から延設した取付杆２５に着脱自在に支持されてオイルフィルタ９の下方を覆う平板状の前カバー２７と、リヤアクスルケース１１に固定されて前カバー２７の後端を着脱自在に支持する後カバー２０とで構成することを特徴としている。
【発明の効果】
【０００６】
請求項１の発明によれば、オイルフィルタを下方からオイルフィルタカバーによって覆うことにより、圃場面から飛散してくる泥土や泥水をオイルフィルタカバーが受け止めてオイルフィルタへの付着を防ぐので、泥土の付着汚損を防止した作業を行うと共に、付着土の除去や作業終了後の洗車を簡単にすることができる。
また請求項２の発明によれば、オイルフィルタカバーを、取付杆に支持されてオイルフィルタの下方を覆う前カバーと、該前カバーの後端を着脱自在に支持する後カバーとで構成することにより、最低地上高さを低下させることなくオイルフィルタを覆い、泥土等を前カバー及び後カバーが受け止めてオイルフィルタ側への侵入を防止することができ、且つ石や木等の接当物が前カバーに強く接当した場合に、前カバー及び取付杆を容易に変形させることができるため、トランスミッションケースや後カバー等のカバー取付部分への
接当負荷を軽減して保護することができる。また前カバーは取付杆及び後カバーから簡単に外すことができるので、変形を生じた前カバーや取付杆の修復及び濾過部材の交換等のメンテナンス作業を能率よく行なうことができる。
【図面の簡単な説明】
【０００７】
【図１】本発明が適用されたトラクタの左側面図である。
【図２】オイルフィルタカバーの取付構造を示す要部の側面図である。
【図３】図２の底面図である。
【図４】図３のＡ−Ａ線断面図である。
【発明を実施するための形態】
【０００８】
本発明の一実施形態を図面に基づいて説明する。図１において符号１は農業用のトラクタ（作業車両を示し、このトラクタ１は前輪２と後輪２ａとを前後左右に有する走行機体３に、前側からエンジン４を配設してボンネット５で覆い、その後方にハンドル及び座席等からなる操縦部６を設置し、機体後部のトランスミッションケース７に耕耘装置等の作業機を連結する３点リンク機構からなる油圧リフト装置（連結部８を備えている。
【０００９】
そして、上記油圧リフト装置８並びに図示しないパワーステアリング装置等に圧油を供給する油圧ポンプに通じオイルの汚れを濾過するオイルフィルタ９を、走行機体３の後部に配置されるトランスミッションケース７の左側壁の下部側に取付け、オイルフィルタ９はオイルフィルタカバー１０で覆っている。
実施形態のオイルフィルタ９は、後輪２ａの車軸２ｂを軸支する左リヤアクスルケース１１の前方でトランスミッションケース７の側壁にボルト１２によって取付けられるフィルタブラケット１３と、該フィルタブラケット１３の前部に形成されるネジ部にネジ込まれて横向に装着される円筒容器状のフィルタ部１６とからなる。
【００１０】
これによりオイルフィルタ９はトランスミッションケース７の側方に前後方向に沿って設けられ、トランスミッションケース７をオイルタンクに兼用して溜められているオイルを、フィルタブラケット１３を介してフィルタ部１６に送り、該フィルタ部１６内の濾過部材（フィルタエレメントを通してオイルを油圧ポンプに送る。
そして、オイルフィルタ９はフィルタ部１６内の濾過部材に目詰まりを生じたとき又は交換時期がきた場合に、フィルタ部１６をフィルタブラケット１３から外し濾過部材を交換したのち、フィルタ部１６を再びフィルタブラケット１３にネジ込み装着するというメンテナンス作業が必要となる。
【００１１】
そして、上記のように構成されるオイルフィルタ９は、図２〜図３で示す構造のオイルフィルタカバー１０によって、濾過部材の交換等のメンテナンス時の作業性を損なうことなく覆っている。即ち、オイルフィルタカバー１０は、前記リヤアクスルケース１１にロアリンクブラケット１７と共にボルト１９によって固定され前方下方に向けて斜設される厚肉平板状の後カバー２０と、該後カバー２０の前端部にボルト２１によって締着される薄肉平板状の前カバー２７とからなる。そして、前カバー２７は前端側を、トランスミッションケース７の下腹部に設置される腹部カバー２２にボルト２３によって着脱自在に固定されて側方に向けて延出する取付杆２５に、ボルト２６を介して着脱自在に取付けている。
【００１２】
尚、上記ロアリンクブラケット１７は前記油圧リフト機構８のロアリンク８ａ及びスタビライザ８ｂ等を軸支している。
上記後カバー２０は厚肉平板からなり、剛性を有して前記フィルタブラケット１３の後方を前下りの傾斜面によって覆うと共に、前カバー２７の後端を取付け支持した状態で、オイルフィルタ９に後方から接当しようとする接当物の接当を傾斜面が規制し、且つ泥土
等の飛散物を遮蔽して下方に逃がすことができる。
【００１３】
腹部カバー２２はトランスミッションケース７の腹下部で最低地上高さ位置をなしており、取付杆２５をボルト２３によって腹部カバー２２の下面に取付けて延設している。
そして、取付杆２５は側方方に延出された部分に前カバー２７を下方からボルト２６によって取付け、オイルフィルタ９と所定の間隙を有して平行状となし後カバー２０に接続している。これにより前カバー２７の地上高さを前記トランスミッションケース７の最低地上高さと略同じにして、オイルフィルタ９の下部を覆うようにしている。
【００１４】
この際に図４で示すように前カバー２７の後端は、後カバー２０の前端側を略水平状に屈曲させて形成した屈曲辺に載せ掛けた状態で、下方からボルト２１を差込み締着するようにしている。これによれば前カバー２７を着脱するとき、その後端を後カバー２０の屈曲辺に仮支持状態で載せ掛けることができるので、前カバー２７を落下を規制しながら着脱作業を簡単に行うことができる。
前カバー２７は上記取付け状態で、フィルタ部１６の前端部位から前方側を上向きに屈曲傾斜させた前傾斜カバー部２９を一体的に形成しており、該前傾斜カバー部２９の斜面によって、前方からオイルフィルタ９に接当しようとする接当物との直接接当を規制すると共に、泥土等の飛散物を斜面に沿って下方に逃がすことができる。
【００１５】
また前カバー２７は、その側方辺を屈曲させることによりリブ状の立壁３０を形成しており、該立壁３０により側方からの飛散泥土等のカバー内の侵入を防ぎ、且つ肉薄板の取付け剛性及び防振性を高めている。これによりトランスミッションケース１１から延出させた取付杆２５を介して支持される前カバー２７は、接当物が下方から強く接当した場合に、その接当負荷を前カバー２７の肉薄板による靭性及び取付杆２５の延出長さによる弾力性等によって緩衝し、オイルフィルタ９を保護することができる。
【００１６】
また接当負荷が上記緩衝限界を超える場合に、前記間隙を介し前カバー２７並びに取付杆２５の変形を許容しオイルフィルタ９の損傷を防止する。この際に、接当負荷の程度により前カバー２７が大きく変形したとしても、前カバー２７は平坦状板であるため滑らかな湾曲面で変形するため、フィルタ部１６は該変形箇所と鋭利に接当することなく滑らかな湾曲面を以って凹入変形させることができる。
また同様に取付杆２５は平板状部材となし、断面が鋭利なエッジ部を形成しないようにしているので、フィルタ部１６は取付杆２５が接当したとしても、筒状容器は孔開き破損することなく単に凹入変形をすることになり、オイル漏れの発生を防止することができる。
【００１７】
そして、上記のように変形を生じたオイルフィルタ９は、フィルタ部１６をフィルタブラケット１３から取外し濾過部材を除去した状態で、筒型容器状の内部から凹入変形箇所を外側に向けて打ち出し加工を行ない元の状態に修復させる。従って、オイルフィルタ９の致命的な破損を防止することができる。
またオイルフィルタカバー１０は、前カバー２７及び取付杆２５の変形を容易にしているため、機体側の取付部への接当負荷による影響を軽減することができると共に、前カバー２７並びに取付杆２５を取外すことにより変形箇所の修復を容易に行うことができる。
【００１８】
以上のように構成されるトラクタ１は、オイルフィルタ９を下方から間隙を有しオイルフィルタカバー１０によって覆っているので、耕耘作業や代掻き作業時に圃場面から飛散してくる泥土等を、前カバー２７及び後カバー２０が受け止めてオイルフィルタ９側への侵入を防止するので、オイルフィルタ９への泥土等の付着汚損を防止した作業を行うことができると共に、付着土が少ないため作業終了後に行う洗車を行い易くすることができる。
【００１９】
またトランスミッションケース７側から側方に向けて延設した平板状の取付杆２５によって支持されるオイルフィルタカバー１０は、最低地上高さを低下させることなく略水平状の平坦面となしてオイルフィルタ９を覆うので、背丈の高い植物中を走行したり畦や畝を越える場合に、雑草や藁屑等の引っ掛かりや引きずりを抑制することができ、作業を能率よく行うことができる。
【００２０】
またオイルフィルタカバー１０は、平板状の前カバー２７及び該前カバー２７をトランスミッションケース１１側から延出される取付杆２５と、トランスミッションケース１１後部に設けられる後カバー２０によって支持しているので、上記のような作業において石や木等の接当物がオイルフィルタ９の下方を覆う前カバー２７に強く接当した場合に、専ら前カバー２７と取付杆２５を変形させることができ、トランスミッションケース１１や後カバー２０等のカバー取付部分への接当負荷を軽減することができる。
【００２１】
また前カバー２７及び取付杆２５は、各対応するボルト２１，２６，２３等を緩めて取り外すことができるので、オイルフィルタ９回りの清掃やフィルタ部１６をフィルタブラケット１３から外して行なう濾過部材の交換等のメンテナンス作業、及び変形を生じた前カバー２７や取付杆２５の修復作業を能率よく行なうことができる等の特徴がある。
【符号の説明】
【００２２】
１    トラクタ（作業車両
７    トランスミッションケース
９    オイルフィルタ
１０    オイルフィルタカバー
１１    リヤアクスルケース
２０    後カバー
２５    取付杆
２７    前カバー
【図１】
2011105134.tif 000003
【図２】
2011105134.tif 000004
【図３】
2011105134.tif 000005
【図４】
2011105134.tif 000006